(57)【要約】【課題】特別な回路手段などの追加を行うことなく、開閉手段が開状態の時において、ダイオードの漏れ電流成分に左右されることなく、平滑コンデンサへの不要な充電を防止することのできる空気調和装置を提供する。【解決手段】開閉手段駆動回路１２と、インバータ駆動回路１１と、短絡信号送出手段１７を備え、開閉手段２が開状態の場合にインバータ回路１３を短絡動作させることで、平滑コンデンサ６の端子間電圧を略０Ｖに保持することができるので、平滑コンデンサ６への不要な充電を防止することが可能になる。【選択図】図１
2008125204.tif 000002
【特許請求の範囲】
【請求項１】
交流電源からリアクタを介して全波整流する4個のダイオードで形成された第一のブリッジ整流回路と、交流電源から直接全波整流する4個のダイオードで形成された第二のブリッジ整流回路と、前記第一のブリッジ整流回路と前記第二のブリッジ整流回路の直流出力端にそれぞれ接続された第一の平滑コンデンサと第二の平滑コンデンサとを有し、第一のブリッジ整流回路の直流出力端にはインバータ回路が接続されて圧縮機を駆動し、第二のブリッジ整流回路の直流出力端には直流−直流コンバータ回路が接続されてインバータ回路駆動手段を備えた制御装置へ電源供給を行い、前記リアクタと前記第一のブリッジ整流回路とに直列に開閉手段が設けられ、前記第一のブリッジ整流回路の直流出力端の正極側から前記第二のブリッジ整流回路の直流出力端の正極側に向かって第一のダイオードが接続されるとともに、前記第二のブリッジ整流回路の直流出力端の負極側から前記第一のブリッジ整流回路の直流出力端の負極側に向かって第二のダイオードが接続された空気調和装置であって、前記パワーリレーが開状態であるときに前記インバータ回路が短絡動作することを特徴とする、空気調和装置。
【発明の詳細な説明】
【技術分野】
【０００１】
本発明は、ブリッジ整流回路方式を用いた電源装置を備えた、空気調和装置に関するものである。
【背景技術】
【０００２】
従来の空気調和装置としては、図３に示すようなものがある（特許文献１参照）。
【０００３】
図３において、１は交流電源であり、４個のダイオードにより形成された第二のブリッジ整流回路５の交流入力端に接続されるとともに、どちらか一方の相が力率改善用のリアクタ３、および開閉手段２を介して、残りの相が直接、４個のダイオードにより形成された第一のブリッジ整流回路４の交流入力端に接続される。
【０００４】
第二のブリッジ整流回路５の直流出力端には平滑コンデンサ７および直流ー直流コンバータ回路１０が接続され、第一のブリッジ整流回路４の直流出力端には平滑コンデンサ６およびインバータ回路１３が接続されている。
【０００５】
直流ー直流コンバータ回路１０は制御回路１６へ電源を供給し、制御回路１６に設けられたインバータ回路駆動手段１１はインバータ回路１３を駆動し、インバータ回路１３に接続された圧縮機１４が動作する。
【０００６】
また、第一のブリッジ整流回路４の直流出力端のプラス側から、第二のブリッジ整流回路５の直流出力端のプラス側に電流が流れる向きでダイオード９が接続され、第二のブリッジ整流回路５の直流出力端のマイナス側から、第一のブリッジ整流回路４の直流出力端のマイナス側に電流が流れる向きでダイオード８が接続される。
【０００７】
ここで、交流電源が遮断された場合、インバータ回路１３の動作が停止となるため平滑コンデンサ６の負荷はほぼゼロとなり、平滑コンデンサ６に蓄えられた電荷は、ダイオード９およびダイオード８を介して、平滑コンデンサ７に流入し直流ー直流コンバータ回路１０などにより消費される。
【０００８】
また、インバータ回路１３が停止した後は、制御回路１６に設けられた開閉手段駆動回路１２により、開閉手段２が開状態とされ、インバータ回路１３への通電を遮断することで、インバータ回路１３に接続された圧縮機１４への通電を遮断し、圧縮機１４と大地間に生じる浮遊容量（図示せず）などに起因する漏れ電流などの問題が生じることを防止する。
【特許文献１】特開２００６−１０９５５８号公報
【発明の開示】
【発明が解決しようとする課題】
【０００９】
しかしながら前記従来の構成では、開閉手段２が開状態であっても、ダイオード８およびダイオード９により第二のブリッジ整流回路側の電源に接続されているため、ダイオードの漏れ電流成分が増加した場合は、平滑コンデンサ６が徐々に充電されインバータ回路１３へ通電されていることになる。その結果、圧縮機１４と大地間に生じる浮遊容量などに起因する漏れ電流なので問題が生じる可能性があるという課題を有していた。
【００１０】
本発明は、前記従来の課題を解決するもので、特別な回路手段などの追加を行うことなく、開閉手段２が開状態の時において、ダイオードの漏れ電流成分に左右されることなく
、平滑コンデンサ６への充電を防止することを可能にした空気調和装置を提供することを目的とする。
【課題を解決するための手段】
【００１１】
前記従来の課題を解決するために本発明の空気調和装置は、開閉手段が開であるときに、インバータ回路が短絡動作するようにしたものである。
【００１２】
これによって、第一のブリッジ整流回路と第二のブリッジ整流回路を接続するダイオードにおいて漏れ電流成分が増加した場合でも、第一のブリッジ整流回路に接続された平滑コンデンサには充電されず、特別な手段を設けることなく平滑コンデンサへの不要な充電を防止することが可能になる。
【発明の効果】
【００１３】
本発明の空気調和装置は、開閉手段が開の場合において、ダイオードの漏れ電流成分による平滑コンデンサへの不要な充電を防止することができる。
【発明を実施するための最良の形態】
【００１４】
以下、本発明の実施の形態について、図面を参照しながら説明する。なお、この実施の形態によって本発明が限定されるものではない。
【００１５】
（実施の形態１）
図１は、本発明における空気調和装置の構成の一実施例を示す。また、図２に動作概念をタイムチャート図を用いて示す。図１において、図３と同じ構成要素については同じ符号を用い、説明を省略する。
【００１６】
１７は短絡信号送出手段であり、開閉手段駆動回路１２による開閉手段２の開閉状態信号を入力とし、開閉手段２が開状態である場合に、インバータ回路駆動手段１１へ短絡信号を送出する。
【００１７】
図２に示すように、圧縮機１４の運転が停止になると共にインバータ回路１３はＰＷＭ動作を停止し、一定の遅延時間の後、開閉手段２が開状態になる。この時、平滑コンデンサ６の端子間電圧は、圧縮機１４運転時の負荷電流（図示せず）とリアクタ３による電圧降下分がなくなるため、一旦上昇する。ここで短絡信号送出手段によりインバータ回路駆動手段１１へ短絡信号が送出され、インバータ回路１３が短絡動作することにより、平滑コンデンサ６の端子間電圧は略０Ｖとなる。
【００１８】
以上のように、本実施の形態によれば、開閉手段が開状態の場合にインバータ回路を短絡動作させることで、平滑コンデンサの端子間電圧を略０Ｖに保持することが可能になるので、ダイオードによる漏れ電流が増加した場合においても、平滑コンデンサへの不要な充電を防止することが可能になる。
【産業上の利用可能性】
【００１９】
以上のように、本発明にかかる空気調和装置は、圧縮機停止時における平滑コンデンサへの不要な充電を防止することが可能となるので、室外機へ長期間通電することが必要な空気調和装置の室外機などへの用途に適する。
【図面の簡単な説明】
【００２０】
【図１】本発明の実施の形態における空気調和装置の構成図
【図２】本発明の実施の形態における動作概念を示すタイムチャート
【図３】従来の空気調和装置の構成図
【符号の説明】
【００２１】
１  交流電源
２  開閉手段
３  リアクタ
４  第一のブリッジ整流回路
５  第二のブリッジ整流回路
６  平滑コンデンサ
７  平滑コンデンサ
８  ダイオード
９  ダイオード
１０  直流−直流コンバータ回路
１１  インバータ回路駆動手段
１２  開閉手段駆動回路
１３  インバータ回路
１４  圧縮機
１６  制御回路
１７  短絡信号送出手段
【図１】
2008125204.tif 000003
【図２】
2008125204.tif 000004
【図３】
2008125204.tif 000005